(57)【要約】  本発明は、内視鏡（２）の光学アセンブリ（１２）と、光学アセンブリ（１２）を含む内視鏡（２）と、光学アセンブリ（１２）を生産する方法と、光学アセンブリ（１２）の対物レンズチューブ（１６）を製造するための形状記憶材料の使用に関する。光学アセンブリ（１２）は、対物レンズチューブ（１６）と、対物レンズチューブ（１６）内に保持された少なくとも１つの光学素子（１８）と、を備えている。光学アセンブリ（１２）は、対物レンズチューブ（１６）が光学素子（１８）のための締付けマウントとして機能する少なくとも１つの領域（２６ａ、２６ｂ、２６ｃ）を備え、締付けマウントとして機能する対物レンズチューブ（１６）のこの領域（２６ａ、２６ｂ、２６ｃ）は、少なくとも区分的に形状記憶材料から製造されているという点において発展している。
2018506386.tif 000002
【特許請求の範囲】
【請求項１】
対物レンズチューブ（１６）および前記対物レンズチューブ（１６）内に保持された少なくとも１つの光学素子（１８）を備える内視鏡（２）の光学アセンブリ（１２）であって、
前記対物レンズチューブ（１６）は、前記光学素子（１８）のための締付けマウントとして機能する少なくとも１つの領域（２６ａ、２６ｂ、２６ｃ）を備え、
締付けマウントとして機能する前記対物レンズチューブ（１６）の当該領域（２６ａ、２６ｂ、２６ｃ）は、少なくとも区分的に形状記憶材料から製造されていることを特徴とする光学アセンブリ。
【請求項２】
請求項１に記載の光学アセンブリ（１２）であって、
締付けマウントとして機能する前記対物レンズチューブ（１６）の前記領域（２６ａ、２６ｂ、２６ｃ）は、前記対物レンズチューブ（１６）の周りに沿って前記光学素子（１８）を完全に囲み、更には、特に完全に、形状記憶材料から作られていることを特徴とする光学アセンブリ。
【請求項３】
請求項１または請求項２に記載の光学アセンブリ（１２）であって、
少なくとも１つの第１光学素子（１８、２０ａ）および１つの第２光学素子（１８、２０ｂ）が利用可能であり、
前記第１光学素子（１８、２０ａ）は、前記第１光学素子（１８、２０ａ）のための締付けマウントとして機能する前記対物レンズチューブ（１６）の第１領域（２６ａ）内に保持され、前記第２光学素子（１８、２０ｂ）は、前記第２光学素子（１８、２０ｂ）のための締付けマウントとして機能する前記対物レンズチューブ（１６）の第２領域（２０ｂ）内に保持され、
前記対物レンズチューブ（１６）は、前記第１領域（２６ａ）と前記第２領域（２６ｂ）との間に変形可能な遷移領域（２８ａ、２８ｂ）を備えることを特徴とする光学アセンブリ。
【請求項４】
請求項３に記載の光学アセンブリ（１２）であって、
前記第１領域（２６ａ）が、第１断面、特には第１直径を有し、それと異なる第２断面、特に第２直径を前記第２領域（２６ｂ）が有し、
前記変形可能な遷移領域（２８ａ、２８ｂ）が、前記第１断面から前記第２断面までの遷移を形成すること、特には、前記第１および第２領域（２６ａ、２６ｂ）間で前記第１直径から前記第２直径までの遷移を形成することを特徴とする光学アセンブリ。
【請求項５】
請求項１から請求項４のいずれか１項に記載の光学アセンブリ（１２）であって、
前記締付けマウントとして機能する前記対物レンズチューブ（１６）の少なくとも１つの領域（２６ａ、２６ｂ、２６ｃ）は、前記対物レンズチューブ（１６）の前記断面で見た場合に多角形である、仕立てられた形状を有し、
特には、前記対物レンズチューブ（１６）の変形された形状は、少なくとも締付けマウントとして機能する前記領域（２６ａ、２６ｂ、２６ｃ）では、円形であることを特徴とする光学アセンブリ。
【請求項６】
請求項１から請求項５のいずれか１項に記載の光学アセンブリ（１２）であって、
前記形状記憶材料が、形状記憶合金および／または形状記憶ポリマーであることを特徴とする光学アセンブリ。
【請求項７】
内視鏡対物レンズ（６）またはリレーレンズとして請求項１から請求項６のいずれか１項に記載の光学アセンブリ（１２）を備え、特には、前記光学素子（１８）がレンズである内視鏡（２）。
【請求項８】
請求項１から請求項６のいずれか１項に記載の光学アセンブリ（１２）を生産する方法であって、
前記光学素子（１８）のための締付けマウントとして機能する領域（２６ａ、２６ｂ、２６ｃ）を少なくとも備え、少なくとも区分的に形状記憶材料から製造されている対物レンズチューブ（１６）を用意する工程と、
締付けマウントとして機能する対物レンズチューブ（１６）の領域（２６ａ、２６ｂ、２６ｃ）内に少なくとも１つの光学素子（１８）を挿入する工程と、
前記締付けマウントとして機能する前記対物レンズチューブ（１６）の前記少なくとも１つの領域（２６ａ、２６ｂ、２６ｃ）を、前記使用される形状記憶材料の記憶温度より高い温度に加熱する工程と、により特徴付けられる方法。
【請求項９】
請求項１から請求項６のいずれか１項に記載の光学アセンブリ（１２）の対物レンズチューブ（１６）を製造するための、特には、請求項７に記載の内視鏡（２）を製造するための、形状記憶材料の使用。
【発明の詳細な説明】
【発明の詳細な説明】
【０００１】
本発明は、対物レンズチューブと、対物レンズチューブ内に保持される少なくとも１つの光学素子と、を備える内視鏡の光学アセンブリに関する。更に、本発明は、光学アセンブリを備える内視鏡と、光学アセンブリを生産するための方法と、形状記憶材料の使用と、に関する。
【０００２】
内視鏡軸の遠位端の前の被調査領域は、内視鏡対物レンズで観察される。内視鏡対物レンズは、外部に対して保護窓で一般的に密閉されている。内視鏡対物レンズは、画像センサ上に被調査領域を映し出す。あるいは、画像は、内視鏡の近位領域へリレーレンズにより投影される。画像センサまたは接眼レンズが、被調査領域を直接観察するためにそこに配置される。フレキシブル内視鏡を使用して、光学的撮像が光ファイバの柔軟な束上に生じる。
【０００３】
内視鏡対物レンズおよびリレーレンズは、下記において内視鏡の光学アセンブリと通常称される。それらは、内視鏡の縦方向で連続して配置され、および／または対物レンズチューブまたはシステムチューブ内に保持される幾つかのレンズまたはレンズグループを通常備えている。
【０００４】
ドイツ特許  １０  ２００８  ０３８  ６１９  Ｂ３は、対物レンズチューブ内で周方向の遊びを有した状態で収容される３つのレンズグループを備えた内視鏡対物レンズを開示している。対物レンズチューブは、縦軸方向でレンズグループのためのストッパとしての役割を果たす内部フランジを備える。レンズは、径方向に穴を介して、レンズまたはレンズグループと対物レンズチューブ間のギャップに低粘性接着剤を加えることにより固定されている。粘着剤硬化後、レンズグループと対物レンズチューブとの間は強固に接続される。
【０００５】
内視鏡の光学アセンブリと、光学アセンブリを備える内視鏡と、光学アセンブリを生産するための方法と、光学アセンブリが厳しい光学的要求を満たす形状記憶材料の使用と、を提供することが、本発明の目的である。
【０００６】
上記目的は、対物レンズチューブおよび対物レンズチューブ内に保持された少なくとも１つの光学素子を備える内視鏡の光学アセンブリであって、対物レンズチューブが、光学素子のための締付けマウントとして機能する少なくとも１つの領域を備え、締付けマウントとして機能する対物レンズチューブの前記領域が、少なくとも区分的に形状記憶材料から製造されているという点で発展した光学アセンブリを用いて解決される。
【０００７】
本説明の文脈において、「対物レンズチューブ」は、システムチューブとして常に理解されるべきである。
【０００８】
本発明は、次の考察に基づいている。内視鏡対物レンズまたはリレーレンズ等の光学アセンブリの生産における個々の部品の公差は、技術的可能性の限界に達しており、それらは、依然として大きすぎて、特に高解像度撮像（ＨＤ，４Ｋおよび後継技術）に関して高まる光学的要求を満たすことができない。締付けマウントとして機能する対物レンズの領域内への光学素子の圧入は、光学素子の公差、生産精度、および調整精度に関して機械側のこれらの要求を満たす（本発明により認識される）可能性をもたらす。レンズまたはレンズグループ等の光学素子は、光学系の光学軸上に高精度に中心で位置決めされる。この効果は、形状記憶材料が、全ての側から作用する均一な圧力を、光学素子にかけることが可能であることで、達成される。
【０００９】
１つの有利な実施形態によれば、光学アセンブリは、締付けマウントとして機能する対物レンズチューブの領域が、対物レンズチューブの周りに沿って光学素子を完全に囲み、更には、特に完全に、形状記憶材料から作られるという点で発展される。
【００１０】
対物レンズチューブの周りは、光学系の光学軸に垂直、または対物レンズチューブの中央縦軸に垂直である平面内で見られる。
【００１１】
光学素子は、対物レンズチューブと、周りに沿って必ずしも完全には接触しない。光学素子は、特には、締付けマウントとして機能する対物レンズチューブの領域内の光学素子の周りに沿って特に均一に分布する個々の点で保持されるときに有利である。この種の締付けホルダは、光学素子が正確に且つ特には対物レンズチューブにより提供される締付けホルダ内で遊びなく収容されることを可能にする。
【００１２】
別の実施形態によれば、少なくとも１つの第１光学素子および１つの第２光学素子があり、第１光学素子が、第１光学素子のための締付けマウントとして機能する対物レンズチューブの第１領域内に保持され、第２光学素子が、第２光学素子のための締付けマウントとして機能する対物レンズチューブの第２領域内に保持され、対物レンズチューブが、第１領域と第２領域との間に変形可能な遷移領域を備えるということが提供される。
【００１３】
本説明の文脈において、「変形可能な遷移領域」は、この遷移領域が容易に可塑的にまたは弾性的に変形可能、あるいは、近隣の隣接領域または対物レンズチューブのセクションよりも機械的に柔軟であることを意味している。例えば、ばね要素が遷移領域として設けられる。金属またはプラスチックから遷移領域を製造することが更に可能である。
【００１４】
有利なことに、これは、対物レンズチューブ内に異なるサイズおよび異なる形状の光学素子を、遊びなく、しっかりと確実に収容することを可能する。形状記憶材料は、局所的に、即ち個々の領域内で、そこに収容され、またはそこに保持された光学素子に対してぴったりと最適に嵌まることができ、光学素子を強固に保持することができる。
【００１５】
光学ユニットの有利な発展においては、第１領域が、第１断面、特には第１直径を有し、第２領域が、それと異なる第２断面、特には第２直径を有し、変形可能な遷移領域が、第１断面から第２断面までの遷移を形成すること、特には、第１及び第２領域間の第１直径から第２直径までの遷移を形成するということが提供される。
【００１６】
サイズまたは形状において異なる断面を必要とする光学素子の異なる形状が、前述の実施形態による光学アセンブリ内に収容され得る。同様のことが、例えば、異なるサイズの直径を有する異なるサイズのレンズにも該当する。特に、対物レンズチューブの個々の領域が、そこに収容される光学素子が共通の光学軸上で正確に保持されるように、互いに対して配置される。異なる締付け力が、異なる領域でそこに保持された光学素子に及ぼされることが、さらにもたらされる。
【００１７】
別の実施形態によれば、締付けマウントとして機能する対物レンズチューブの少なくとも１つの領域が、対物レンズチューブの断面で見た場合に多角形である、仕立てられた（ｔｒａｉｎｅｄ）形状を有し、特には、対物レンズチューブの変形された形状が、少なくとも締付けマウントとして機能する領域では、円形である、ということが提供される。
【００１８】
本説明の文脈では、「仕立てられた形状」とは、形状記憶材料が記憶温度より高い温度に加熱された時の形状記憶材料により「記憶された」形状記憶材料の形状である。「変形された形状」とは、この形状のトレーニングが生じないように臨界温度より下で変形されることにより材料がとる形状である。形状記憶効果またはメモリ効果が、記憶温度を超えるとき、変形された形状から仕立てられた形状への変化を生じさせる。
【００１９】
仕立てられた形状は、特に、締付け座部が、光学素子と締付けマウントとして機能する対物レンズチューブ領域との間に設けられるように選択される。言いかえれば、仕立てられた形状は、したがって、受容対象の光学素子に対して発生する締付け力が高すぎたりも低すぎたりもしないように選択される。
【００２０】
光学素子は、前述の多角形の一辺の真中で支えられるようになるのが好ましい。少なくとも領域内で光学素子のための締付けマウントとして機能する対物レンズチューブの三角形状は、１つの３点座部が幾何学的観点において光学素子にとって最も安定した座部を構成するので、特に有利である。６辺輪郭の利点は、光学軸上での調整のためにクロスバーを挿入することができ、このバーを締付け処理後に除去することができる、ということである。
【００２１】
別の実施形態によれば、光学アセンブリは、形状記憶材料が形状記憶合金および／または形状記憶ポリマーであるという点において発展される。
【００２２】
しばしば、形状記憶合金または記憶材料は、例えば「ニチノール」の名前で知られている材料等のニッケル／チタン合金である。
【００２３】
光学素子は、特にレンズである。更に、それらは、レンズグループを形成する互いに密着させられた複数レンズであるのが好ましい。光学アセンブリの光学素子は、接着、ねじ止め等の他の保持手段なしで、対物レンズチューブ内に保持されるのが、更に好ましい。前述の特徴は、全ての実施形態に有利に適用可能である。
【００２４】
本目的は、また、内視鏡対物レンズまたはリレーレンズとして前述の実施形態の１つ以上に従う光学アセンブリを備える内視鏡を使用して解決され、特に、光学素子は、レンズまたはレンズグループである。
【００２５】
光学アセンブリの個々の部品に対する公差に関して、既存の技術的制限が有利に克服されるので、本発明の複数態様に係る内視鏡対物レンズは、高解像度撮像に適している。
【００２６】
加えて、本目的は、前述の１つ以上の実施形態に係る光学アセンブリを生産する方法により解決され、その方法は、
‐    光学素子のための締付けマウントとして機能する領域を少なくとも備え、少なくとも区分的に形状記憶材料から製造されている対物レンズチューブを用意する工程と、
‐    締付けマウントとして機能する対物レンズチューブの領域内に少なくとも１つの光学素子を挿入する工程と、
‐    締付けマウントとして機能する対物レンズチューブの少なくとも１つの領域を、使用される形状記憶材料の記憶温度より高い温度に加熱する工程と、により発展される。
【００２７】
さらに、本目的は、前述の１つ以上の実施形態に従う光学アセンブリの対物レンズチューブを製造するための形状記憶材料を使用することにより解決される。特に、形状記憶金属または形状記憶合金、好ましくはニチノールが使用される。
【００２８】
方法と使用についての利点は、内視鏡の光学アセンブリに関して既に言及されたものと同様であり、従って、それらを再度説明しない。
【００２９】
本発明のさらなる特徴は、請求項および添付図面と共に本発明に係る実施形態の説明から明白になるだろう。本発明に係る実施形態は、個々の特徴または幾つかの特徴の組み合わせを実現することができる。
【００３０】
本発明は、本発明の基本思想を制限することなく、図面を参照して例示的な実施形態に基づき以下に説明されている。そこにおいては、テキスト内には、より詳細には説明されていない本発明に係る全詳細の開示に関して、図面を明確に参照する。
【図面の簡単な説明】
【００３１】
【図１】内視鏡の概略、簡略化された斜視図を示す。
【図２】内視鏡の光学アセンブリの概略縦断面を示す。
【図３】図３ａ及図３ｂは、変形された形状且つ仕立てられた形状の対物レンズチューブの概略的に簡略化された断面図を示す。
【図４】図４ａ及び図４ｂは、変形された形状且つ仕立てられた形状の対物レンズチューブの概略的に簡略化された断面図を示す。
【図５】対物レンズチューブの概略的に簡略化された斜視図を示す。
【発明を実施するための形態】
【００３２】
図面では、再度の説明が省略されるように、同一または同様の要素および／または部品には同一の参照番号が付される。
【００３３】
図１は、硬性内視鏡等の内視鏡２の簡略化された概略斜視図を示し、その遠位端４上には、保護ディスク（不図示）の後ろに配置されている内視鏡対物レンズ６がある。内視鏡２の軸８内には更に、内視鏡２のタイプに応じたリレーレンズ（不図示）がある。内視鏡対物レンズ６およびこれらのリレーレンズは、内視鏡２の光学ユニットを形成している。内視鏡２の近位端はハンドル１０を備えている。
【００３４】
図２は、内視鏡対物レンズ６等の内視鏡２の光学アセンブリ１２の簡略化された概略縦断面図を示す。これは、内視鏡２の軸６の遠位端４上の保護ディスク１４の後部に配置されている。光学アセンブリ１２は、対物レンズチューブ１６と、対物レンズチューブ１６内に保持された少なくとも１つの光学素子１８、例えば、３つの光学素子１８、即ち、近位レンズグループ２０ａ、中央レンズグループ２０ｂおよび遠位レンズグループ２０ｃ、とを備えている。レンズグループ２０ａ、２０ｂ、２０ｃは、例として単に示され、各々は幾つかの個別レンズから成る。光学素子は、また、個々のレンズ、プリズム等である。
【００３５】
光学素子１８は、対物レンズチューブ１６の近位端にあるストッパ２２により、更には、レンズグループ２０ａ、２０ｂ、２０ｃ間にある同様にストッパとして機能する開口チューブ２４により、対物レンズチューブ１６内に保持されている。光学アセンブリ１２の縦軸Ｌに垂直に走る径方向Ｒにおいて、光学素子１８は、光学素子１８用の締付けマウントとして機能する少なくとも１つの領域２６ａ、２６ｂ、２６ｃにより保持されている。
【００３６】
締付けマウントとして機能する対物レンズチューブ１６のこの領域２６ａ、２６ｂ、２６ｃは、形状記憶材料から少なくとも区分的に製造されている。例えば、形状記憶合金または形状記憶ポリマーが、形状記憶材料として用意される。好ましくは、ニチノール等の形状記憶合金または形状記憶金属が使用される。
【００３７】
締付けマウントとして機能する対物レンズチューブ１６の領域２６ａ、２６ｂ、２６ｃは、対物レンズチューブ１６の周りに沿って光学素子１８を完全に囲んでいる。示された例示的な実施形態においては、締付けマウントとして機能する第１領域２６ａ、締付けマウントとして機能する第２領域２６ｂ、および締付けマウントとして機能する第３領域２６ｃが設けられている。領域２６ａ、２６ｂ、２６ｃのそれぞれは、中空円筒の形状を有し、関連する光学素子を平面内で完全に囲んでいる。この平面は、光学系の光学軸と平行に配向されている縦軸Ｌの方向に垂直である。対物レンズチューブ１６の領域２６ａ、２６ｂ、２６ｃは、全体的に形状記憶材料から製造されているのが好ましい。
【００３８】
示された例示的な実施形態において、対物レンズチューブ１６は、幾つかの光学素子１８、即ち、レンズグループ２０ａ、２０ｂ、２０ｃを備えている。例えば、第１領域２６ａは、第１光学素子１８として近位レンズグループ２０ａを囲み、第２領域２６ｂは、第２光学素子１８として中央レンズグループ２０ｂを囲み、および、第３領域２６ｃは、第３光学素子１８として遠位レンズグループ２０ｃを囲んでいる。あるいは、近位および遠位レンズグループ２０ａ、２０ｃの間の中央レンズグループ２０ｂは、複数の開口チューブ２４によって保持される。
【００３９】
図２は、変形された形状の対物レンズチューブ１６を示し、ここでは、対物レンズチューブ１６が円形断面を有する。記憶温度より高い、後の温度処理により、対物レンズチューブ１６、またはより正確には、これらの領域２６ａ、２６ｂ、２６ｃは、仕立てられた形状に変化する。
【００４０】
本説明の文脈において、仕立てられた形状とは、記憶温度より上の対応する高温に加熱される時にもたらされる形状記憶材料の形状として理解される。変形された形状とは、この形状のトレーニングが生じないように臨界温度より下で材料が変形されることによりもたらされる形状である。記憶温度を超えるとき、メモリ効果が、変形された形状から仕立てられた形状への変化を生じさせる。
【００４１】
対物レンズチューブ１６の仕立てられた形状は、保持対象の光学素子１８と、締付けマウントとして機能する対物レンズチューブ１６の領域２６ａ、２６ｂ、２６ｃとの間で、締付け座部が提供されるように選択されている。仕立てられた形状についての幾何学形状および寸法は、光学素子１８が、適切な締付け力、したがって高すぎたりも低すぎたりもしない力で保持されることを確実にする。
【００４２】
図２の描写に反して、対物レンズチューブ１６は更に、異なる断面を有する光学素子１８、特に異なる直径を有する光学素子１８を収容するように設けられる。言いかえれば、光学素子１８に締付け座部を提供する状態にある領域２６ａ、２６ｂ、２６ｃが同様に異なる断面、特に異なる直径を有することが必要である。この目的のために、領域２６ａ、２６ｂ、２６ｃの間には遷移領域がある。遷移領域は変形可能で、例えば、塑性的および／または弾性的に変形可能である。例えば、ばね要素が変形可能な遷移領域として設けられる。
【００４３】
概略的に簡略化された断面図において、図３は、その変形された形状（図３ａ）およびその仕立てられた形状（図３ｂ）の対物レンズチューブ１６を示している。例えば、対物レンズチューブ１６、またはより正確には、その領域２６ａ、２６ｂ、２６ｃは、対物レンズチューブ１６の断面図内で見た場合、三角形の仕立てられた形状を有している。
【００４４】
変形された形状において、光学素子１８が対物レンズチューブ１６に挿入される。その後、領域２６ａ、２６ｂ、２６ｃ、好ましくは、光学素子１８を含む全体の対物レンズチューブ１６は、領域２６ａ、２６ｂ、２６ｃに対して使用される形状記憶材料の記憶温度より上の温度に置かれる。形状記憶材料は、その仕立てられた形状（図３ｂ）に戻る。対物レンズチューブ１６の壁は、光学素子１８と接触して、光学素子１８に対する締付け座部を作る。図３に示された例示的な実施形態によれば、光学素子１８は、その周りに沿って３点で保持される。これは、遊びがなく、したがって、対物レンズチューブ１６内で光学素子１８を特に正確にしっかり固定する座部を形成する。その周りに沿って、光学素子１８は、断面内で見た場合、三角形の対物レンズチューブ１６の各辺の真中で支えられる。
【００４５】
図４は、別の概略的に簡略化された断面図において、変形された形状（図４ａ）および仕立てられた形状（図４ｂ）の対物レンズチューブ１６を示す。仕立てられた形状では、対物レンズチューブ１６は、この例示的な実施形態による六角形の断面を有している。この場合も同様に、光学素子１８は、その周りに沿ってこの六角形の各辺の中間に接触する。６辺を有する断面の利点は、光学素子１８の位置に調整するために、クロスバーを、対物レンズチューブ１６内に、またはより精密には、その領域２６ａ、２６ｂ、２６ｃに挿入することができることであり、クロスバーは、光学素子１８の締付け座部が対物レンズチューブ１６内で達成された後、除去される。
【００４６】
図５は、概略、簡略化された斜視図において、２つの遷移領域２８ａ、２８ｂが間にある３つの領域２６ａ、２６ｂ、２６ｃを備える対物レンズチューブ１６を示している。例えば、第１領域２６ａと第２領域２６ｂとの間に配置される第１遷移領域２６ａは、ばね要素である。これらは、弾性的に変形し、それにより第１および第２領域２６ａ、２６ｂの異なる断面、特に、これらの領域２６ａ、２６ｂの異なる直径を補償することができる。同じことが、第２領域２６ｂと第３領域２６ｃとの間に配置される第２遷移領域２８ｂにも当てはまる。
【００４７】
内視鏡対物レンズ６等の光学アセンブリ１２を製造するために、次の方法が１つの例示的実施形態により追求される。最初に、光学素子１８用の締付けマウントとして機能する少なくとも１つの領域２６ａ、２６ｂ、２６ｃを備える対物レンズチューブ１６が用意される。この領域２６ａ、２６ｂ、２６ｃは、少なくとも区分的にニチノールのような形状記憶金属等の形状記憶材料から製造される。特に、領域２６ａ、２６ｂ、２６ｃは完全に形状記憶材料で作られる。その後、レンズグループ２０ａ、２０ｂ、２０ｃ等の少なくとも１つの光学素子１８、特に、３つのレンズグループ２０ａ、２０ｂ、２０ｃ等の複数の光学素子１８が対物レンズチューブ１６内に挿入される。少なくとも領域２６ａ、２６ｂ、２６ｃ、特に、挿入された光学素子１８を含む対物レンズチューブ１６全体を、採用された形状記憶材料の記憶温度より高い温度にその後加熱することにより、締付けマウントとして機能する領域２６ａ、２６ｂ、２６ｃと光学素子１８との間に締付け座部を提供する。
【００４８】
特に形状記憶材料を用いて製造された、本発明の特徴に係る対物レンズチューブ１６の助けによれば、光学素子（複数可）１８を、対物レンズチューブ１６内に正確に収容することができる。有利なことに、接着剤等の光学素子１８を固定するための追加手段を設ける必要は、もはや存在しない。光学系を調整するための高い光学要求を満たす目的において光学チューブ１６内に、光学素子１８を十分正確に収容することができる。特に、提供される内視鏡対物レンズ６等の光学ユニット１２は、高解像度画像情報（ＨＤ，ウルトラＨＤ，４Ｋおよびそれ以上）を検出するのに適している。
【００４９】
その他の特徴と組み合わせて開示されている、図面単独および個々の特徴から理解できるものを含む全ての言及された特徴は、本発明に本質的なものとして単独および組み合わせで考慮される。本発明に従う実施形態は、個々の特徴または幾つかの特徴の組み合わせを通して実現され得る。本発明の文脈において、「特に」または「好ましくは」で指定される特徴は、選択的な特徴として理解されたい。
【符号の説明】
【００５０】
２          内視鏡
４          遠位端
６          内視鏡対物レンズ
８          軸
１０        ハンドル
１２        光学アセンブリ
１４        保護ディスク
１６        対物レンズチューブ
１８        光学素子
２０ａ      近位レンズグループ
２０ｂ      中央レンズグループ
２０ｃ      遠位レンズグループ
２２        エンドストッパ
２４        開口チューブ
２６ａ      第１領域
２６ｂ      第２領域
２６ｃ      第３領域
２８ａ      第１遷移領域
２８ｂ      第２遷移領域
Ｒ          径方向
Ｌ          縦方向
【図１】
2018506386.tif 000003
【図２】
2018506386.tif 000004
【図３】
2018506386.tif 000005
【図４】
2018506386.tif 000006
【図５】
2018506386.tif 000007
【国際調査報告】
2018506386.tif 000008
2018506386.tif 000009
2018506386.tif 000010
2018506386.tif 000011